(57)【要約】【課題】  ボールペン、シャープペン、ペンキャップ、その他の筆記具と、それらに保持性を持たせる、クリップ、その他の保持具、その両具の特徴を両立させることを可能にする、筆記具と保持具の分離結合具を提供する事。【解決手段】  ボールペン、シャープペン、ペンキャップ、その他の筆記具と、それらに保持性を持たせる、クリップ、その他の保持具とを分離、結合させる特徴を有した、筆記具と保持具の分離結合具。【選択図】図１
2008207530.tif 000002
【特許請求の範囲】
【請求項１】
ボールペン、シャープペン、ペンキャップ、その他の筆記具と、それらに保持性を持たせるための、クリップ等その他、保持具とを分離、結合させる特徴を有した、筆記具と保持具の分離結合具。
【請求項２】
請求項１に該当する筆記具と保持具の結合部が一方を凹部とし、もう一方を凸部とし凹凸の結合性を利用した機具の特徴を有した筆記具と保持具の分離結合具。
【請求項３】
請求項２の結合部がマジックテープ（登録商標）磁石、吸盤、その他、結合素材を用いて、両具を結合させ、分離の際は、装備された分離具を用いる特徴を有した、筆記具と保持具の分離結合具。
【請求項４】
筆記具と保持具の間に分離、又は結合の機具として、装備された作動スイッチ等の可動に連動したプレートや棒その他が結合性の作用、又は分離のための作用として構成される、特徴を有した、筆記具と保持具の分離結合具。
【請求項５】
請求項４の構成機具が、保持具側に備え付けられた、筆記具と保持具の分離結合具。
【請求項６】
請求項２、請求項３、請求項４、請求項５の筆記具がボールペン、シャープペン、及びキャップとそれらの付属物のみとする筆記具と保持具の分離結合具。
【発明の詳細な説明】
【技術分野】
【０００１】  本発明は、筆記具とそれに備えられる保持具とを分離、結合させる、筆記具と保持具の分離結合具に関するものである。
【背景技術】
【０００２】  従来、保持性を付与するために主にクリップなどの保持具が筆記具であるボールペン、シャープペン、キャップ、その他に備えられていた。
しかし、保持具の保持力を強めようとすれば、筆記具を使用する際にそれを、解くために時間や労力を要するため、保持具の保持力と、筆記具の利便性とを妥協させるしかなく、その最良の物として、挿着式のクリップ型の保持具が主流としてあった。
クリップの保持力強化のために開閉機構を備えた発明が知られている。（特許文献１）
筆記具に備えられた保持具である、クリップについて工夫をした、発明は過去にもあった（特許文献２）。
【特許文献１】特許公開２００６−２８９６４１号
【特許文献２】特許公開２００５−２３１３１７号
【発明の開示】
【発明が解決しようとする課題】
【０００３】    そのために、次のような問題点があった。
（イ）筆記具を早急に使用するため、ポケット等の筆記具保持箇所から取り出そうとした場合、保持具であるクリップや、その挿着元であるポケットの布地などを破損させる損害が生じやすく、しかも、破損したクリップを備えた筆記具はクリップの補修をしても、保持力を回復出来ないのが実状であった。
（ロ）保持力と筆記具使用時の利便性や製造コストなどの理由から、挿着式のクリップが現在、筆記具の保持具として主流であり、それに伴い、筆記具の保持力は地面に対して上方から下方の挿着時以外は保持力が極端に弱くなり、保持力を強めようとすれば、クリップの構造上、挟力を強めることになるが、そのことで、筆記具挿着時と筆記具使用時に、その挟力の強度に応じた時間や労力などで挿着や脱着を行うことになり、結果的に筆記具の利便性がその挟力の犠牲となってしまうために、保持具の保持力と筆記具の利便性を両立させることは両具の機能的役割の背反性により困難であった。
（ハ）上記（ロ）に記したように、挿着式のクリップが主流のため、保持具を意匠としての観点から見た場合、製品に多様性が無かった。
【課題を解決するための手段】
【０００４】    上記課題を解決するために、第一発明によれば、ボールペン、シャープペン、ペンキャップ、その他の筆記具と、それらに保持性を持たせるための、クリップ等その他、保持具とを分離、結合させる特徴を有した、筆記具と保持具の分離結合具。
又、第二発明によれば、前期第一発明の筆記具と保持具の結合部が一方を凹部とし、もう一方を凸部とし凹凸の結合性を利用した機具の特徴を有した筆記具と保持具の分離結合具。
又、第三発明によれば、上記第二発明の結合部が前記した第一発明の筆記具と保持具の結合部にマジックテープ（登録商標）磁石吸盤、その他、結合素材を用いて、両具を結合させ、分離の際は、分離具を用いる特徴を有した、筆記具と保持具の分離結合具。
又、第四発明によれば、上記第二、第三発明の筆記具と保持具の間に分離、又は結合の機具として、装備された作動スイッチ等の可動に連動したプレート、棒、その他が結合性の発揮又は分離のための作用として構成される特徴を有した、筆記具と保持具の分離結合具。
又、第五発明によれば上記第四発明に記載された構成機具が、保持具側に備え付けられた筆記具と保持具の分離と結合具。
又、第二、第三、第四、第五発明、記載の筆記具がボールペン、シャープペン及びキャップとそれらの付属物のみとする筆記具と保持具の分離結合具。
【発明の効果】
【０００５】    本発明は、上記構成により下記の作用効果を奏する。
第一発明によれば、ボールペン、シャープペン、ペンキャップ、その他の筆記具と、それらに保持性を持たせるための、クリップ等その他、保持具との結合部に分離結合具を装備することにより、筆記具の利便性と保持具の保持性を分離結合させることが可能となる。【０００６】  第二発明によれば、筆記具と保持具の結合部の一方を凹にもう一方を凸として備え、凹部に凸部をはめ合わせることにより結合性を有し、それにより筆記具に保持具の保持性を容易に付与でき、かつ分離具を用いることで同じく容易に保持具の保持性から筆記具を解放させることを可能とする。【０００７】  第三発明によれば、筆記具と保持具の結合部に結合素材を用いることで、筆記具に保持具の保持性を容易に付与でき、かつ分離具を用いることで同じく容易に保持具の保持性から筆記具を開放させることを可能とする。【０００８】  第四発明によれば、筆記具と保持具の間に分離、又は結合の機具として、装備された作動スイッチ等の可動に連動したプレートや棒その他が結合性の発揮、又は分離のための作用としての構成により、筆記具の利便性を維持したまま、保持具の保持性を強力にすることが可能となる。【０００９】  その他の効果として、筆記具と保持具、両具の意匠的な多様性。【００１０】  筆記具と保持具の内、一方が破損した場合、結合部が同一規格のものであれば、交換が可能となること、並びに、両具の組み合わせの多様化による商品企画の多様性。【００１１】  保持具として以前では用いることの出来なかったような、機能や形状の物が筆記具の保持具として使用できる。【００１２】  様々な規格が考えられる余地があるため筆記具生産等の経済効果が期待できる。
【発明を実施するための最良の形態】
【００１３】  本発明の実施の形態について図１によって説明する。
（イ）筆記具ａ（１）に筆記具側結合部品ａ（３）を、保持具ａ（２）に保持具側結合部品ａ（４）を備える。
（ロ）筆記具側結合部品ａ（３）の凹形成状態が、作動スイッチａ（６）を可動させることにより、可動部品ａ（５）が連動して、凹形成が解かれる。
（ハ）保持具側結合部品ａ（４）である凸形成部品を筆記具側結合部品ａ（３）に挿入する。
（二）作動スイッチａ（６）を再可動させることで連動した可動部品ａ（５）が可動して凹形成状態になり、保持具結合部品ａ（４）を固定することで筆記具ａ（１）と保持具ａ（２）が結合される。
（ホ）分離する場合は（ハ）の挿入を分離とした内容で、同じ動作を行う。【００１４】「実施形態の効果」
保持具をリストバンド形にしたとしても筆記具の利便性や、保持性に支障は無い。【００１５】「他の実施形態」
結合作用としてプレート、棒その他を使用することも考えられる。【００１５】「他の実施形態」
一つの筆記具に対し保持具が複数備えられることや、その逆なども考えられる。
【図面の簡単な説明】
【００１６】
【図１】本発明の斜視図。
【図２】図１の結合状況をしめす図。
【図３】図１の結合部を結合素材に変更した図。
【図４】棒ロック構造の結合分離具の断面図
【図５】リストバンド型保持具の実施例
【符号の説明】
【００１７】１  筆記具ａ
２  保持具ａ
３  筆記具側結合部品ａ
４  保持具側結合部品ａ
５  可動部品ａ
６  作動スイッチａ
７  筆記具側結合素材
８  保持具側結合素材
９  分離具ａ
１０筆記具ｂ
１１保持具ｂ
１２筆記具側結合部品ｂ
１３保持具側結合部品ｂ
１４可動部品ｂ
１５作動スイッチｂ
１６弾性体ａ
１７弾性体ｂ
【図１】
2008207530.tif 000003
【図２】
2008207530.tif 000004
【図３】
2008207530.tif 000005
【図４】
2008207530.tif 000006
【図５】
2008207530.tif 000007